(57)【要約】【課題】  パネルを開閉することにより本体に収納可能に構成された入力装置を備えた情報記録再生装置において、記録時の記録媒体の駆動速度をパネルの開閉状態に基づいて制御可能にし、記録媒体への記録動作の信頼性を向上しうる情報記録再生装置を提供する。【解決手段】  ディスク型記録媒体に情報を記録し、或いは前記記録媒体に記録されている情報を再生する複数のドライブ機構と、装置本体に設けられパネルが開状態において入力操作が可能な開閉式の入力装置と、を備え、前記複数のドライブ機構を並行して駆動可能な情報記録再生装置において、前記入力装置のパネルの開閉状態を検知する開閉検知センサと、前記開閉検知センサからの検出信号に基づいて記録時の記録媒体の駆動速度を制御する駆動速度制御手段と、を備え、前記駆動速度制御手段は、前記パネルが開状態である場合は記録媒体の駆動速度を低速に制御し、前記パネルが閉状態である場合は記録媒体の駆動速度を高速に制御するようにした。【選択図】  図２
2006048813.tif 000002
【特許請求の範囲】
【請求項１】
ハードディスクに情報を記録し或いは前記ハードディスクに記録されている情報を再生するハードディスクドライブ機構と、記録型ＤＶＤに情報を記録し或いは前記記録型ＤＶＤに記録されている情報を再生するＤＶＤドライブ機構と、装置本体に設けられパネルが開状態において入力操作が可能な開閉式の入力装置と、を備え、前記ハードディスクドライブ機構及びＤＶＤドライブ機構を並行して駆動可能な情報記録再生装置において、
前記入力装置のパネルの開閉状態を検知する開閉検知センサと、
前記開閉検知センサからの検出信号に基づいて記録時の記録媒体の駆動速度を制御する駆動速度制御手段と、
前記入力装置のパネルの開閉状態と記録媒体の駆動状態とを報知可能な報知手段と、を備え、
前記記録手段による記録媒体への記録を開始するときに前記パネルが開状態となっている場合は、前記報知手段は前記パネルが開状態であることを報知し、前記駆動速度制御手段は所定の時間経過後に記録媒体の駆動速度を低速に制御し、
前記記録手段による記録媒体への記録が実行されているときに前記パネルが閉状態から開状態に移行された場合は、前記報知手段は前記パネルが開状態にされたことを報知し、前記駆動速度制御手段は前記入力装置からの入力に基づいて段階的に駆動速度を低速に制御することを特徴とする情報記録再生装置。
【請求項２】
ディスク型記録媒体に情報を記録し、或いは前記記録媒体に記録されている情報を再生する複数のドライブ機構と、装置本体に設けられパネルが開状態において入力操作が可能な開閉式の入力装置と、を備え、前記複数のドライブ機構を並行して駆動可能な情報記録再生装置において、
前記入力装置のパネルの開閉状態を検知する開閉検知センサと、
前記開閉検知センサからの検出信号に基づいて記録時の記録媒体の駆動速度を制御する駆動速度制御手段と、を備え、
前記駆動速度制御手段は、前記パネルが開状態である場合は記録媒体の駆動速度を低速に制御し、前記パネルが閉状態である場合は記録媒体の駆動速度を高速に制御することを特徴とする情報記録再生装置。
【請求項３】
前記パネルの開閉状態と記録媒体の駆動状態とを報知可能な報知手段を備えることを特徴とする請求項２に記載の情報記録再生装置。
【請求項４】
前記記録媒体への記録を開始するときに前記パネルが開状態となっている場合は、
前記報知手段は、前記パネルが開状態であることを報知し、
前記駆動速度制御手段は、所定の時間経過後に記録媒体の駆動速度を低速に制御することを特徴とする請求項２又は３に記載の情報記録再生装置。
【請求項５】
前記記録媒体への記録が実行されているときに前記パネルが閉状態から開状態に移行された場合は、
前記報知手段は、前記パネルが開状態にされたことを報知し、
前記駆動速度制御手段は、前記入力装置からの入力に基づいて段階的に駆動速度を低速に制御することを特徴とする請求項２から４の何れかに記載の情報記録再生装置。
【請求項６】
前記複数のドライブ機構は、ハードディスクドライブ機構及びＤＶＤドライブ機構で構成され、一方のディスクに記録された情報を他方のディスクに記録可能に構成されていることを特徴とする請求項２から５の何れかに記載の情報記録再生装置。
【発明の詳細な説明】
【技術分野】
【０００１】
本発明は、ＴＶ番組等の映像信号及び音声信号を記録または再生する情報記録再生装置に関し、特に、ハードディスクと記録型ＤＶＤを記録媒体とし、一方のディスクに記録された情報を他方のディスクに記録可能に構成されている情報記録再生装置に関する。
【背景技術】
【０００２】
テレビ放送信号等を受信して記録・再生する情報記録再生装置としては、従来ＶＴＲ（ビデオテープレコーダ）が主流であったが、最近では大容量のハードディスクを比較的安価に製造できるようになったことに伴い、これを内蔵したハードディスクレコーダ（以下ＨＤＤレコーダと略する）が実用化されている。ＨＤＤレコーダは、テレビ放送信号等の受信信号をデジタル化してハードディスクに記録するとともに、記録した映像信号をハードディスクから読出して再生する装置である。
【０００３】
しかし、ハードディスクの記録容量が大容量化されてきたとはいっても、その容量には限界があるため、ユーザは所望の番組を録画するに当たり所要の容量を確保する必要がある。このため、録画した番組を保存したい場合は、ビデオテープやＤＶＤ−Ｒ等の記録型ＤＶＤにハードディスクに記録された番組情報を記録し直すこととなる。例えば、ハードディスクドライブ機構とＤＶＤドライブ機構を備えたハイブリッド型のＨＤＤ／ＤＶＤレコーダによれば、ハードディスクに記録された番組を容易にＤＶＤ−Ｒ等に記録することができる。さらに、ＨＤＤ／ＤＶＤレコーダでは、ハードディスクに記録された番組情報をＤＶＤ−Ｒに記録するのと並行して、ハードディスクに記録された番組情報を再生することも可能となっている。
【０００４】
また、近年では、記録型ＤＶＤへの記録速度（光ディスクの駆動速度）は非常に高速化されているが（例えば８倍速）、その反面、高速で記録を行う場合は高精度の制御が要求されるため振動等により記録環境が不安定となると記録不良を生じる可能性が高くなっている。つまり、記録環境が不安定である場合は、記録不良を生じるのを回避するために低速で記録するのが望ましい。
【０００５】
そこで、ＨＤＤ／ＤＶＤレコーダのように複数のドライブ機構を備えた情報記録再生装置においては、一方のドライブ機構の動作が他方のドライブ機構の動作に振動等の悪影響を与えないように、複数のドライブ機構の動作状態を関連付けて記録媒体の駆動速度やヘッドの移動速度を制御するようにしたドライブ機構の駆動方法が提案されている（例えば特許文献１）。
【特許文献１】特開２００１−２１６７０７号公報
【発明の開示】
【発明が解決しようとする課題】
【０００６】
ところで、ＨＤＤ／ＤＶＤレコーダ等の情報記録再生装置は、主としてリモコン装置により入力操作が行われるが、一般には装置本体の前面にも所定の入力ボタン（入力装置）が配設されている。また、装置本体の外観デザインを向上するために、これらの入力ボタンを開閉式のパネルによって収納可能に構成し、パネルが開状態において入力操作が可能となるようにしたものもある。
【０００７】
このようなＨＤＤ／ＤＶＤレコーダにおいては、記録型ＤＶＤへの記録中に装置本体に設けられた入力装置よりハードディスクの再生操作等が実行されることもあり、この場合、装置本体に直接振動が伝達されるため記録型ＤＶＤへの記録不良を生じてしまうおそれがある。
【０００８】
また、記録型ＤＶＤはビデオテープに比べて高価であるために、消費者にとってはビデオテープほど気軽に利用しうるまでには至っていない。特に、ＤＶＤ−Ｒは追記することができないので、一度記録に失敗すると再利用できず記録媒体が全く無駄になってしまうという問題がある。このため、記録型ＤＶＤへ安定して記録可能となるように、信頼性を高めることが重要となっている。
【０００９】
本発明は、パネルを開閉することにより本体に収納可能に構成された入力装置を備えた情報記録再生装置において、記録時の記録媒体の駆動速度をパネルの開閉状態に基づいて制御可能にし、記録媒体への記録動作の信頼性を向上しうる情報記録再生装置を提供することを目的とする。
【課題を解決するための手段】
【００１０】
本発明は、上記課題を解決するためになされたものであり、ディスク型記録媒体に情報を記録し、或いは前記記録媒体に記録されている情報を再生する複数のドライブ機構と、装置本体に設けられパネルが開状態において入力操作が可能な開閉式の入力装置と、を備え、前記複数のドライブ機構を並行して駆動可能な情報記録再生装置において、前記入力装置のパネルの開閉状態を検知する開閉検知センサと、前記開閉検知センサからの検出信号に基づいて記録時の記録媒体の駆動速度を制御する駆動速度制御手段と、を備え、前記駆動速度制御手段は、前記パネルが開状態である場合は記録媒体の駆動速度を低速に制御し、前記パネルが閉状態である場合は記録媒体の駆動速度を高速に制御するようにしたものである。つまり、入力装置のパネルが開状態のときは予め駆動速度を低速に制御することで、入力装置からの入力が実行され装置本体に直接衝撃が加わっても、これに起因して記録不良が生じないようにした。
【００１１】
また、前記パネルの開閉状態と記録媒体の駆動状態とを報知可能な報知手段を備えるようにした。
【００１２】
また、前記記録媒体への記録を開始するときに前記パネルが開状態となっている場合は、前記報知手段は前記パネルが開状態であることを報知し、前記駆動速度制御手段は所定の時間経過後に記録媒体の駆動速度を低速に制御するようにした。つまり、開状態となっている入力装置のパネルを閉状態とするための猶予を設け、できるだけ駆動速度を高速として記録が実行されるようにした。
【００１３】
さらに、前記記録媒体への記録が実行されているときに前記パネルが閉状態から開状態に移行された場合は、前記報知手段は、前記パネルが開状態にされたことを報知し、前記駆動速度制御手段は、前記入力装置からの入力に基づいて段階的に駆動速度を低速に制御するようにした。つまり、記録媒体への記録中に入力装置の開閉を行うと記録不良を生じやすいことを承知の上でユーザは操作をしていると考えられるので、できるだけ記録媒体の駆動速度を高速に保ちつつ、入力装置からの入力に伴う衝撃にも耐え得るように段階的に駆動速度を低速にするようにした。
【００１４】
本発明は、ハードディスクドライブ機構及びＤＶＤドライブ機構を備え、一方のディスクに記録された情報を他方のディスクに記録可能に構成されている、いわゆるＨＤＤ／ＤＶＤレコーダに用いて有用である。
【発明の効果】
【００１５】
本発明によれば、駆動速度制御手段は、装置本体に設けられた入力装置のパネルが開状態である場合は記録媒体の駆動速度を低速に制御し、パネルが閉状態である場合は記録媒体の駆動速度を高速に制御するので、入力装置からの振動・衝撃による記録媒体へのダメージを効果的に回避することができる。仮に、本体側の入力装置からの入力操作に伴い装置本体に衝撃が加わっても、予め駆動速度を低速に制御しているので、記録不良が生じる可能性は低くなる。
【００１６】
また、前記入力装置のパネルの開閉状態と記録媒体の駆動状態とを報知可能な報知手段を備えるようにしたので、ユーザは前記パネルの開閉状態に関連して記録媒体の駆動状態が制御されていることを認識できる。したがって、記録媒体への記録を実行するときはできるだけ入力装置のパネルを閉状態とし、入力装置からの入力操作をしないようになるため、安定した環境で記録処理を実行することができる。このように、記録環境に応じた駆動速度で記録処理を実行することととなるので、記録動作の信頼性は格段に向上する。
【発明を実施するための最良の形態】
【００１７】
以下、本発明の好適な実施の形態を図面に基づいて説明する。
【００１８】
図１は、ハードディスクドライブ機構とＤＶＤドライブ機構を有するハイブリッド型のＨＤＤ／ＤＶＤレコーダの実施形態を示す外観斜視図である。
【００１９】
本実施形態のＨＤＤ／ＤＶＤレコーダ１００の筐体前面には、種々の情報を表示する表示部（報知手段）２２と、ＤＶＤ等の光ディスクを配置・挿入するディスクトレイ２５と、直接入力操作が可能な種々の入力ボタンを配置された入力装置１９ａ，１９ｂが設けられている。
【００２０】
図１（Ａ）は入力装置１９のパネル（入力操作パネル）２６が閉状態となっている状態を示しており、このように入力操作パネル２６が閉状態にあるときは入力ボタンは収納されることとなるので、入力ボタンを使用することはできない。一方、図１（Ｂ）は入力操作パネル２６が開状態となっている状態を示しており、この状態において入力装置１９ａ，１９ｂからの入力操作が可能となる。図１（Ｂ）に示すように、入力装置１９は、装置本体側に配置される第１の入力装置（本体側入力装置）１９ａと、入力操作パネル２６に配置される第２の入力装置（パネル側入力装置）１９ｂで構成される。
【００２１】
ここで、本体側入力装置１９ａには使用頻度の低い入力ボタン（例えば、録画、停止、一時停止、サーチ等）が配置され、パネル側入力装置１９ｂに使用頻度の高い入力ボタン（再生、巻戻し、早送り等）が配置されるのが望ましい。これは、入力装置１９からの入力操作が行われる場合でも、本体に直接衝撃を与えると考えられる本体側入力装置１９ａはあまり使用されないようにするためである。これにより、入力装置１９からの入力に伴い装置本体に衝撃を与えてしまい不具合が生じるケースを少なくすることができる。
【００２２】
図２は、本実施形態に係るＨＤＤ／ＤＶＤレコーダのブロック図である。
【００２３】
本実施形態のＨＤＤ／ＤＶＤレコーダ１００は、装置全体の制御を行う主制御部１１と、アンテナ３１より入力された複数の放送局のテレビ放送信号から所望のチャンネルのテレビ放送信号を取り出しビデオ信号（映像信号及び音声信号）として出力するチューナ１２と、チューナ１２で取り出されたビデオ信号或いは外部入力端子を介して他のＡＶ装置から入力されたビデオ信号をデジタル信号に変換するＡ／Ｄ変換器１３と、Ａ／Ｄ変換器１３から入力されたデジタル信号を符号化してデジタルデータを生成する圧縮処理部１４と、圧縮処理部１４により符号化されたデジタルデータを録画された番組情報として記録するハードディスクドライブ（ＨＤＤ）１７と、ハードディスクに記録されたデジタルデータを読出して複合化して元のデジタル信号を生成する伸張処理部１５と、復号化されたデジタル信号をアナログビデオ信号に変換しＴＶモニタ等の外部機器に出力するＤ／Ａ変換器１８と、筐体前面に設けられた本体側入力装置１９ａ及びパネル側入力装置１９ｂと、チャンネル設定などを行うリモコン装置２１からの光信号を受光して電気信号に変換するリモコン受光部２０と、液晶ディスプレイやＬＥＤランプ等で構成されリモコン装置２１又は入力装置１９からの操作内容等を表示する表示部２２と、ハードディスクに記録された番組情報をＤＶＤ−Ｒ等の記録型ＤＶＤに記録するＤＶＤドライブ２３と、入力装置１９のパネル２６の開閉状態を検知する開閉検知センサ２４と、で構成される。なお、本実施形態のＨＤＤ／ＤＶＤレコーダ１００では、圧縮処理部１４と伸張処理部１５の動作のみを制御する副制御部１６を設け、主制御部１１の負担を軽減している。
【００２４】
また、主制御部１１は、各部の制御および所定の演算を行いＨＤＤ／ＤＶＤレコーダ１００の動作を制御するＣＰＵ１１１と、ＣＰＵ１１１の作業用メモリとして用いられるとともにハードディスクに記録した番組に関する情報等を記憶するＲＡＭ１１２と、ＣＰＵ１１１で実行される制御用プログラム等が記録されたＲＯＭ１１３と、で構成される。
【００２５】
上記のようなＨＤＤ／ＤＶＤレコーダ１００において、番組を録画する場合は、ユーザによる録画操作に基づいて、入力装置１９或いはリモコン受光部２０から録画指令が主制御部１１に送信されたときに、主制御部１１が録画処理のための制御手順を実行する。これにより、外部から入力されたテレビ放送信号はデジタル化され番組情報がハードディスクに記録される。一方、ハードディスクに録画した番組を再生する場合は、主制御部１１がハードディスクに記録されている番組の目次情報（或いはその一部）をＴＶモニタの画面にリスト形式で表示させて、ユーザによる番組選択・再生操作に基づいて、入力装置１９或いはリモコン受光部２０から再生指令が主制御部１１に送信されたときに、主制御部１１が再生処理のための制御手順を実行する。これにより、ハードディスクに記録された番組情報が主制御部１１により読み出され、ＴＶモニタに再生映像が表示される。なお、ＤＶＤドライブ２３における記録・再生処理も同様に行われる。これらの処理は従来のＨＤＤ／ＤＶＤレコーダにおいても当然に行われる処理である。
【００２６】
本実施形態に係るＨＤＤ／ＤＶＤレコーダ１００は、ハードディスクに記録された番組情報をＤＶＤ−Ｒ等の記録型ＤＶＤに記録する際に、入力装置１９のパネル２６の開閉状態に基づいて、記録型ＤＶＤの駆動速度を制御するようにしている点を特徴とする。具体的には、主制御部１１は、開閉検知センサ２４からの検出信号に基づいて入力操作パネル２６の開閉状態を判定し、入力操作パネル２６が開状態である場合は記録型ＤＶＤの駆動速度を低速に制御し、入力操作パネル２６が閉状態である場合は記録型ＤＶＤの駆動速度を高速に制御する（駆動速度制御手段）。
【００２７】
以下に、本実施形態のＨＤＤ／ＤＶＤレコーダ１００を用いて、ハードディスクに記録された番組情報を記録型ＤＶＤに記録するときの制御処理について説明する。
【００２８】
図３は、記録型ＤＶＤへ記録を開始する時の駆動速度制御処理を示すフローチャートである。
【００２９】
まず、ステップＳ１０１で開閉検知センサ２４からの検出信号に基づいて、入力操作パネル２６は開状態であるか判定する。そして、開状態であると判定した場合は、入力操作パネル２６が開状態となっていること及び開状態のままでは低速（例えば倍速）で記録を実行する旨を報知する（ステップＳ１０２）。
【００３０】
次に、ステップＳ１０３で所定時間（例えば３０秒）経過したか判定する。つまり、入力操作パネル２６が開状態となっている場合は、即座に低速で記録を開始するのではなく、入力操作パネル２６を閉状態とするための猶予を与え、所定時間が経過する前にユーザにより入力操作パネル２６が閉状態とされた場合はステップＳ１０５以降の処理（高速での記録処理）がなされるようにしている。
【００３１】
そして、ステップＳ１０３で所定時間が経過したと判定した場合は、入力操作パネル２６が開状態のままで記録を開始して構わないと判断できるので、駆動速度を倍速に設定し（ステップＳ１０４）、記録型ＤＶＤへの記録を開始する（ステップＳ１０７）。ここで、記録開始時に入力操作パネル２６が開状態となったままの場合は、ユーザが入力操作パネル２６を閉状態にできないこと（例えば予約録画等）が考えられるので、記録環境が不安定となったときにも対応し得るように駆動速度を倍速に制御するようにしている。
【００３２】
一方、ステップＳ１０１で閉状態であると判定した場合は、入力操作パネル２６が閉状態となっていること及び閉状態なので高速（例えば８倍速）で記録を実行する旨を報知する（ステップＳ１０５）。そして、駆動速度を８倍速に設定し（ステップＳ１０６）、記録型ＤＶＤへの記録を開始する（ステップＳ１０７）。
【００３３】
このように、記録型ＤＶＤへの記録を開始する時に入力操作パネル２６が開状態となっている場合は、表示部２２に入力操作パネル２６が開状態であることを報知させるとともに、所定の時間経過後に記録媒体の駆動速度を低速に制御するようにしているので、入力装置１９からの振動・衝撃による記録型ＤＶＤへのダメージを効果的に回避することができる。すなわち、仮に入力装置１９が操作されることに伴い装置本体に衝撃が加わっても、予め駆動速度を低速に制御しているので、記録不良が生じる可能性は低くなる。
【００３４】
次に、記録型ＤＶＤへ記録を実行しているときの制御処理について説明する。
【００３５】
図４は、記録型ＤＶＤへの記録中に入力操作パネル２６の開閉状態が変更された場合の駆動速度制御処理を示すフローチャートである。
【００３６】
まず、ステップＳ２０１で開閉検知センサ２４からの検出信号を受信したか判定し、検出信号を受信した場合はステップＳ２０２に移行する。一方、検出信号を受信していない場合は入力操作パネル２６の開閉状態は変わらないので記録媒体の駆動速度を変更する必要はなくそのままとされる。
【００３７】
次に、ステップＳ２０２で、開閉検知センサ２４からの検出信号に基づいて入力操作パネル２６は開状態であるか判定する。そして、開状態であると判定した場合（つまり入力操作パネル２６が閉状態から開状態に移行された場合）は、入力操作パネル２６が開状態とされたこと及び開状態のままでは低速で記録を実行する旨を報知し（ステップＳ２０３）、記録を一旦中断する（ステップＳ２０４）。ここで、記録中に駆動速度を高速から低速に変更するのは記録不良が生じる危険を伴うため、一旦記録を中断するようにしている。そして、ステップＳ２０５で駆動速度を減速し（例えば６倍速）、駆動速度が一定となった後、記録型ＤＶＤへの記録を再開する（ステップＳ２０９）。
【００３８】
一方、ステップＳ２０２で、入力操作パネル２６は閉状態であると判定した場合（つまり入力操作パネル２６が開状態から閉状態に移行された場合）は、入力操作パネル２６が閉状態とされたこと及び閉状態となったので高速で記録を実行する旨を報知し（ステップＳ２０６）、記録を一旦中断する（ステップＳ２０７）。ここで、記録中に駆動速度を低速から高速に変更する場合も記録不良が生じる危険を伴うため、一旦記録を中断するようにしている。そして、ステップＳ２０８で駆動速度を８倍速に設定し、駆動速度が一定となった後、記録型ＤＶＤへの記録を再開する（ステップＳ２０９）。
【００３９】
記録型ＤＶＤに記録を実行しているときに入力操作パネル２６の開閉状態が変更された場合は、上述のような制御処理が実行される。これにより、記録開始時は入力操作パネル２６が閉状態となっていたために駆動速度を８倍速に設定したが、入力操作装置１９を使用する必要がありやむを得ず入力操作パネル２６が開状態に変更された場合に対応できる。つまり、記録中であるにもかかわらず入力操作パネル２６が開状態に変更されたことから入力装置１９による入力操作が実行されると考えられ、この入力操作により装置本体に衝撃が加えられる可能性が高いと予測できるので、駆動速度を低速に変更して記録不良が生じるのを防止するようにしている。また、記録開始時は入力操作パネル２６が開状態となっていたために駆動速度を倍速に設定したが、記録中であるにもかかわらず入力操作パネル２６が閉状態に変更されたことから高速で記録を行いたいことが伺えるので、このような場合は駆動速度を高速に変更するようにした。
【００４０】
上述したように、記録型ＤＶＤへの記録中に入力操作パネル２６が閉状態から開状態に移行された場合は、記録速度の駆動速度を６倍速に減速するようにしているが、さらに入力装置１９からの入力に基づいて以下の制御処理を実行する。
【００４１】
図５は、記録型ＤＶＤへの記録中に入力装置１９による入力操作が実行された場合の駆動速度制御処理を示すフローチャートである。
【００４２】
まず、ステップＳ３０１で入力装置１９からの入力信号を受信したか判定し、入力信号を受信した場合はステップＳ３０２に移行し、入力装置１９から入力操作しないように報知する。つまり、実際に入力装置１９からの入力操作が実行されると装置本体に衝撃を与えてしまい記録不良が生じる可能性が高くなるので、入力装置１９からの入力操作を行わないように警告する。一方、入力信号を受信していない場合は入力装置１９からの入力操作はないので記録媒体の駆動速度を変更する必要はなくそのままとされる。
【００４３】
次に、ステップＳ３０３で記録型ＤＶＤの駆動速度は６倍速であるか、つまり記録型ＤＶＤへの記録中に入力操作パネル２６を開状態にした後、入力操作が行われたか判定する。そして、駆動速度が６倍速であると判定した場合は記録を一旦中断し（ステップＳ３０４）、駆動速度を例えば４倍速に変更し（ステップＳ３０５）、駆動速度が一定となった後、記録型ＤＶＤへの記録を再開する（ステップＳ３０９）。
【００４４】
一方、ステップＳ３０３で駆動速度は６倍速でないと判定した場合は、ステップＳ３０６で駆動速度は４倍速であるか判定する。つまり、記録型ＤＶＤへの記録中に入力操作パネル２６を開状態にした後、１回だけ入力操作は行われたか否か判定する。そして、駆動速度が４倍速であると判定した場合は記録を一旦中断し（ステップＳ３０７）、駆動速度を例えば倍速に変更し（ステップＳ３０８）、駆動速度が一定となった後、記録型ＤＶＤへの記録を再開する（ステップＳ３０９）。つまり、記録型ＤＶＤへの記録中に入力操作パネル２６を開状態にした後、２回以上入力操作が行われたこととなり、入力装置１９の使用頻度が多いと認められるので、駆動速度を倍速に制御するようにした。
【００４５】
一方、ステップＳ３０６で駆動速度が４倍速でないと判定した場合は、駆動速度はすでに倍速となっていることとなるので、駆動速度は変更されない。記録型ＤＶＤへの記録開始時の駆動速度制御処理（図３のフローチャート）により駆動速度を倍速に制御された場合もこれに含まれる。
【００４６】
このように、記録型ＤＶＤへの記録を実行しているときに、入力操作パネル２６が開状態とされた場合は、入力装置１９からの入力頻度に基づいて記録型ＤＶＤの駆動速度を変更するようにした。つまり、記録型ＤＶＤへの記録中に入力操作パネル１９の開閉を行うと記録不良を生じやすいことを承知の上でユーザは操作をしていると考えられるので、できるだけ記録媒体の駆動速度を高速に保ちつつ、入力装置１９からの入力に伴う衝撃にも耐え得るように段階的に駆動速度を低速にするようにした。
【００４７】
また、上記実施形態では、記録型ＤＶＤへの記録を実行しているときに入力操作パネル２６が閉状態とされた場合に記録型ＤＶＤの駆動速度を高速に変更するようにしているが、入力操作パネル２６が開状態のままでも入力装置１９からの入力操作が所定時間以上実行されない場合には段階的に高速に制御するようにしてもよい。
【００４８】
上述したように、本実施形態に係るＨＤＤ／ＤＶＤレコーダによれば、入力操作パネル２６が開状態である場合は記録媒体の駆動速度を低速（例えば倍速）に制御し、入力操作パネル２６が閉状態である場合は記録媒体の駆動速度を高速（例えば８倍速）に制御するようにしたので、入力装置１９から入力操作に伴う振動・衝撃による記録媒体へのダメージを効果的に回避することができる。また、入力操作パネル２６の開閉状態と記録媒体の駆動状態とを報知するので、ユーザは入力操作パネル２６の開閉状態に関連して記録媒体の駆動状態が制御されていることを認識できる。したがって、記録媒体への記録を実行するときはできるだけ入力操作パネル２６を閉状態とし、入力装置１９からの入力操作をしないようになるため、安定した環境で記録処理を実行することができる。このように、記録環境に応じた駆動速度で記録処理を実行することととなるので、記録動作の信頼性は格段に向上する。
【００４９】
以上、本発明者によってなされた発明を実施形態に基づいて具体的に説明したが、本発明は上記実施形態に限定されるものではなく、その要旨を逸脱しない範囲で変更可能である。
【００５０】
例えば、記録型ＤＶＤへの記録を実行しているときの駆動速度制御は上記実施形態で説明した制御処理に限定されず、入力操作パネル２６の開閉状態が変更されたとき、又は入力装置１９からの入力操作に基づいて段階的に記録型ＤＶＤの駆動速度を制御しなくてもよい。
【００５１】
すなわち、記録中に駆動速度を変更するのは記録不良が生じる危険を伴うため、記録型ＤＶＤへの記録中に入力操作パネル２６の開閉状態が変更されても、それに伴い記録型ＤＶＤの駆動速度を変更しないようにしてもよい。この場合、記録開始時に設定された駆動速度で最後まで記録が実行されることとなる。
【００５２】
また、記録型ＤＶＤへの記録を実行しているときは、入力装置１９からの入力操作に関係なく、入力操作パネル２６の開閉状態にのみ基づいて、高速（８倍速）又は低速（倍速）の何れかに駆動速度を制御するようにしてもよい。
【００５３】
また、記録型ＤＶＤへの記録中には、記録中であるため入力操作パネル２６を開閉しないこと、さらに入力操作パネル２６が開状態である場合には入力装置１９による操作をしないこと、を表示部２２により報知するのが望ましい。これは、記録型ＤＶＤへの記録が開始された後は、できるだけ記録環境を安定させることで記録不良が生じるのを防止できるためである。これに関連して、記録型ＤＶＤへの記録が実行されている期間は、入力装置１９からの入力は無効となるようにすることで、強制的に入力装置１９による操作をさせないようにしてもよい。また、記録開始時に入力操作パネル１９が閉状態にある場合は、記録中に入力操作パネル１９の開閉ができないようにロック機構を設けるようにしてもよい。
【００５４】
なお、記録媒体としての記録型ＤＶＤには、ＤＶＤ−Ｒの他、ＤＶＤ＋Ｒ，ＤＶＤ±ＲＷ，ＤＶＤ−ＲＡＭ等を用いることができるのはいうまでもない。
【図面の簡単な説明】
【００５５】
【図１】本実施形態に係るＨＤＤ／ＤＶＤレコーダの外観斜視図である。
【図２】本実施形態に係るＨＤＤ／ＤＶＤレコーダのブロック図である。
【図３】記録型ＤＶＤへ記録を開始する時の駆動速度制御処理を示すフローチャートである。
【図４】記録型ＤＶＤへの記録中に入力操作パネル２６の開閉状態が変更された場合の駆動速度制御処理を示すフローチャートである。
【図５】記録型ＤＶＤへの記録中に入力装置１９による入力操作が実行された場合の駆動速度制御処理を示すフローチャートである。
【符号の説明】
【００５６】
１１    主制御部
１１１  ＣＰＵ
１１２  ＲＡＭ
１１３  ＲＯＭ
１２    チューナ
１３    Ａ／Ｄ変換器
１４    圧縮処理部
１５    伸張処理部
１６    副制御部
１７    ハードディスクドライブ
１８    Ｄ／Ａ変換器
１９ａ  本体側入力装置
１９ｂ  パネル側入力装置
２０    リモコン受光部
２１    リモコン
２２    表示部
２３    ＤＶＤドライブ
２４    開閉検知センサ
２５    ディスクトレイ
２６    入力操作パネル
３１    アンテナ
１００  ＨＤＤ／ＤＶＤレコーダ
【図１】
2006048813.tif 000003
【図２】
2006048813.tif 000004
【図３】
2006048813.tif 000005
【図４】
2006048813.tif 000006
【図５】
2006048813.tif 000007